(57)【要約】  多種類の物品に対して、１種類の読み取り装置または１種類の読み取り方法であっても、必要なデータを取得する手段を提供するものである。  バーコードと環境変化部分を読み取る手段と、読みとったバーコードから環境変化部分に関するデータを抽出する手段と、前記環境変化部分に関するデータに基づいて環境変化データを認識する手段とを有する。または、物品において、環境変化部分と、前記環境変化部分と関係するデータを有するバーコードとを有する。
2016208051.tif 000002
【特許請求の範囲】
【請求項１】
環境変化部分と、前記環境変化部分と関係するデータを有するバーコードとを有する物品。
【請求項２】
前記バーコードは、前記環境変化部分の有無、数、種類、位置のいずれかの情報を含む請求項１の物品。
【請求項３】
バーコードと環境変化部分を読み取る手段と、
読みとったバーコードから環境変化部分に関するデータを抽出する手段と、
前記環境変化部分に関するデータに基づいて環境変化データを認識する手段と
を有するデータ処理装置。
【請求項４】
バーコードと環境変化部分を読み取り、
読みとったバーコードから環境変化部分に関するデータを抽出し、
前記環境変化部分に関するデータに基づいて環境変化データを認識する、データ処理方法。
【請求項５】
前記バーコードは、前記環境変化部分の有無、数、種類、位置のいずれかの情報を含む請求項４のデータ処理方法。
【請求項６】
請求項４のデータ処理方法で得られたデータを記録し、検索可能な形でデータベース化する商品の品質管理方法。
【発明の詳細な説明】
【技術分野】
【０００１】
本発明は、主として物品の輸送、保管を行うにあたり、輸送、保管時における環境状態を管理するための表示物、表示データの読み取り装置、表示データの読み取り方法に関する。
【背景技術】
【０００２】
製造場所から消費場所へ輸送する一部の物品では、温度、湿度、振動、ガス、気圧などの環境状態について適切な管理が必要である。たとえば高温や低温の環境下におかれたときに腐敗する、味が変化するなどによって消費に適さない状態になる食品が存在する。また高い湿度の環境下、大気レベルの酸素の存在する環境下などにおかれたときに品質劣化が起こる食品が存在する。また想定以上の振動が加えられた時に破壊する物品が存在する。【０００３】
このような問題に対処するため、対象となる物品の輸送や保管を行うときは、密閉容器に入れるとか、空調装置を用いて輸送コンテナ、輸送トラックや保管室の温度管理、湿度管理、振動管理を行うなどの施策が行われる。【０００４】
ところが、装置の故障、管理のもれなどにより、管理範囲を逸脱することがある。そこで逸脱が起こったかどうかを判別するため、以下のような装置や方法が存在する。【０００５】
特許文献１には、温度により色変化する示温部材を管理対象の物品へ付与し、読み取り装置によって隣接するバーコードが表すコードおよび示温部材の色を読み取る方法が開示されている。さらに、読み取ったコードおよび色データを分析して温度履歴を推定する方法が開示されている。また、温度により色変化する示温部材の実現方法も開示されている。【０００６】
特許文献２には、温度域によって着色、無着色が変化する複数のバーコードを物品へ付与し、読み取り時の温度によって、単一のバーコードのみを読み取る方法が開示されている。さらにこの読み取りデータをコンピュータへ送信し、品質管理を行う方法が開示されている。【０００７】
特許文献３には、酸素雰囲気で変色する検知剤シートの実現方法が開示されている。製造後に密閉されていると赤色だが、密閉から出されると青色へ変わるシートの実現方法である。
【先行技術文献】
【特許文献】
【０００８】
【特許文献１】特開2001-91368
【特許文献２】特許第5563565号
【特許文献３】WO2006/013754
【発明の概要】
【発明が解決しようとする課題】
【０００９】
物品の輸送、保管を行うときには、同一種類の物品だけを扱う場合もあるが、多種類の物品を扱うことが多い。このときは、物品によって環境に関する管理項目が異なるのが一般的である。たとえば、上限温度のみの管理が必要な物品、下限温度の管理のみが必要な物品、上限温度および下限温度両方の管理が必要な物品、温度と湿度との管理が必要な物品などである。さらにはこれらの管理が不要な物品をいっしょに扱うこともある。【００１０】
このような場合、物品の種類に応じて環境状態表示部分の数を変える必要がある。ところが、特許文献１には、１か所の表示部分の色を読み取る方法しか開示されていない。また特許文献１、特許文献２ともに、温度という１種類の環境状態変化について読み取る方法しか開示されていない。また温度による色変化の代わりに特許文献３で開示されている酸素雰囲気に関する色変化を利用したとしても、１種類の環境状態変化について読み取ることができるのみである。【００１１】
本発明は以上に鑑みてなされたものであり，多種類の物品に対して、１種類の読み取り装置または１種類の読み取り方法であっても、必要なデータを取得する手段を提供するものである。
【課題を解決するための手段】
【００１２】
上記の課題を解決するため、本発明の物品は、環境変化部分と、前記環境変化部分と関係するデータを有するバーコードとを有する。また本発明のデータ処理は、バーコードと環境変化部分を読み取る手段と、読みとったバーコードから環境変化部分に関するデータを抽出する手段と、前記環境変化部分に関するデータに基づいて環境変化データを認識する手段とを有する。または、物品において、環境変化部分と、前記環境変化部分と関係するデータを有するバーコードとを有する。
【発明の効果】
【００１３】
本発明によれば，多種類の物品に対して、１種類の読み取り装置または１種類の読み取り方法であっても、必要なデータを取得する手段を提供できる。
【図面の簡単な説明】
【００１４】
【図１】バーコードおよび環境変化部分が表示された商品のイメージを表す図
【図２】バーコードおよび環境変化部分が表示された商品のイメージを表す図
【図３】読み取り装置の構成を表す図
【図４】画像データのイメージを表す図
【図５】読み取り方法の手順を表す図
【発明を実施するための形態】
【００１５】
以下，図面を用いて実施例を説明する。
【実施例１】
【００１６】
図１（ａ）（ｂ）は、典型的な２次元バーコード（１２）および１次元バーコード（１３）を利用し、バーコードと環境変化部分（２１，２２，２３，２４，２５）が表示された商品（１０，１１）を表したものである。バーコードでは数字、アルファベットなどの文字列がパターンで表現されている。本実施例はその文字列中に環境変化部分の有無、数、種類、位置などと関係するデータを含めるものである。ただしバーコード（１２、１３）はバーコードの存在をイメージ的に示しただけであり、図１、２に示したバーコードのパターンは本実施例にしたがった実際の文字列は表してはいない。本実施例で対象とする文字列の詳細は後述する。バーコードには次元の違い以外に各種の規格が存在するが、本発明はそれらの規格に依存するものではない。また文字列をパターン化するときに各種の変換処理が行われるが、本発明はその処理方法に依存するものではない。【００１７】
環境変化部分は、温度、湿度、振動、ガス、気圧などの環境状態によって色変化するインクを印刷されたものである。本発明では位置、形状、サイズ、個数などに制約はないが、データ読み取り時にバーコードと同時に画像として取り込みしやすいようにするのが好ましい。たとえば位置はバーコードの近傍に配置するのが好ましい。形状は正方形、長方形、円、楕円、角丸長方形など特に制限はない。サイズはバーコードのバーやドットの大きさよりも大きいのが好ましい。また目視でも確認しやすいように大きくしても良い。変化条件が異なる複数の環境変化部分を配置すると、同時に複数の環境条件を把握することができる。たとえば異なる温度で変化する複数、温度と湿度、などの組合せが考えられる。複数を同一の形状、サイズとしても良いが、変化させても良い。バーコードが１次元のときは、直線的にデータ読み取りを行うことがあるので、図１（ｂ）に示すように、環境変化部分（２４，２５）の高さをバーコード（１３）のバーの長さと合わせ、また環境変化部分（２４，２５）の並びをバーの配置と同一方向に配置するのが好ましいが、本発明はこの配置に限定されるものではない。【００１８】
バーコードおよび環境変化部分は、商品（１０，１１）へ直接印刷しても良いが、シールなどへ印刷し、それを商品へ貼り付ける方法でも良い。またコードの表す文字列を近傍へ文字の形態で印刷しても良い。変化色については、環境条件が適切な範囲の色とその条件を外れたときの色の説明を文字などで追記するのも好ましい。【００１９】
本実施例はバーコードで表す文字列中に環境変化部分の有無、数、種類、位置などと関係するデータを含めるものである。以下その具体的な方法を説明する。【００２０】
もっとも単純な方法は、文字列中に商品を表すコードなどに加えて、環境変化部分の有無、数、種類、位置などをそのまま文字列でして表す方法である。たとえば「1234567;count=3;temperature 10,1.2,0.1;temperature 20,1.2,0.2;moisture,1.2,0.3」のような文字列である。「1234567」は商品を表すコードであり、通常使われているものをそのまま利用する。「count=3」は環境変化部分が３種類存在することを表している。環境変化部分が存在しないときは０と表示することができるし、商品コード以外の部分をすべてなくすこともできる。「temperature 10,1.2,0.1」は温度１０度で変化する変化部が、横方向１．２、縦方向０．１の位置に存在することを表している。位置はｍｍなどの実際の長さで表すこともできるが、バーコードの基準位置を利用した相対的な位置とするのが好ましい。この例では、２次元バーコード（１２）の左上の基準点を原点として、右上の基準点を横方向の１、左下の基準点を縦方向の１とする座標系を設定し、各環境変化部分の中心の位置をこの座標系で表している。この方法を利用すると、環境変化部分を任意の位置へ配置しても読み取ることができる。【００２１】
上記の方法では、バーコード部分に表示する文字列が長くなってしまい、バーコードの表示に必要なエリアの面積が広くなってしまう。この問題は、表現内容をコード化することによって解決することができる。たとえば「temperature 10」を「T1」、「temperature 20」を「T2」、「moisture」を「M」とし、座標は１０倍して２桁で表現することにあらかじめ決めておけば、上記の文字列は「1234567;count=3;T11201;T21202;M1203」と短く表すことができる。さらに「count=3」をコード化して短縮することもできるし、種類と座標の部分の数を利用することによって省略することもできる。【００２２】
このような考え方をさらに推し進めると、商品コード自体を環境変化部分を表すコードとして利用する方法が考えられる。たとえば商品コードの先頭の１文字で環境変化部分の数を表わし、２文字目、３文字目で種類を表すというような方法である。商品コードの中で位置を表すのはやや困難なので、あらかじめ個数ごとの位置を決めておくのが好ましい。すなわち、１つ目は横方向１．２、縦方向０．１、２つめは横方向１．２、縦方向０．２、３つめは横方向１．２、縦方向０．３、といった具合である。あらかじめこれが定まっていれば、文字列中に位置データを含める必要はない。この方法は最初に説明したコード化しない方法でも利用することができる。バーコードが１次元の場合は表現できる文字列長さが制約されるので、この方法が特に有効である。なお商品コードで環境変化部分の数や種類を表す方法は、上記の、特定の文字に対応付ける方法に限定されるものではない。【００２３】
これまでの説明で、環境変化部分はバーコードと重ならないように外側へ配置する例を説明した。マトリックス型２次元コード形式などを利用すると、データの誤り訂正規則があるためバーコードの一部が欠損しても設定した文字列データを読み取ることができる。そこで、図２のようにバーコードの配置されている内部に環境変化部分を配置することもできる。これは座標を横方向、縦方向ともに０〜１の間に設定するだけで実現できる。【００２４】
なお、上記の例では文字列の先頭部分を商品コードのみとしたが、特定のサイトへアクセスするＵＲＬ、たとえば「http://www.***.com/code.aspx?ID=1234567;count=3;temperature 10,1.2,0.1;temperature 20,1.2,0.2;moisture,1.2,0.3」のような文字列としておくこともできる。これらの表示方式をどのようにするかは本発明では限定されない。【００２５】
以上で説明した、商品に印刷されたバーコードと環境変化部分は、製造、流通、消費などの段階でその商品を扱う人の操作にもとづいて読み取り装置で読み込まれ、そのデータは記録または送信される。読み込み方法および読み込み処理方法の詳細は実施例２で説明する。概略的には、まずバーコードの文字列が読み込まれ、その文字列から商品コード、環境変化部分の有無、数、種類、位置などと関係するデータが抽出される。次に後者にもとづいて環境変化部分の色データが読み込まれ、商品コードと色データがメモリに記録、送信される。複数の読み取り機から送信されたデータは集められ、記録される。記録されたデータからは、当初想定した環境変化範囲を超えているかどうか、特定の期間、特定の場所、特定の商品コード、特定の読み取り機番号などを条件に該当データを検索できる。検索結果は、一覧表、グラフ、地図などの形態で表示することができる。一覧表では詳細な測定データを参照することができるし、条件ごとにまとめて何件といったぐあいに集計値を参照することもできる。集計値はグラフで参照することもできる。縦軸横軸に環境変化値、期間、場所、商品分類、データ件数などを選択することができる。またデータの読み取り場所のデータを利用すると、地図上の該当場所に特定の条件のデータが読み取られた点の数だけ点をプロットすると、地域的な広がりを参照できる。これらの検索結果を参照、分析すると、商品の環境が当初想定外であった範囲を知ることができ、品質管理方法の改善に役立てることができる。【００２６】
なお、環境変化部分の色は、いったん変わると元に戻らない特性を有するものとすると、途中状態を知ることができる。また、中間色を有する色変化であれば、中間の温度、湿度などを把握することもできる。読み取り装置があらかじめ色判定に関するデータを保持していると、データ送信しなくても読み取り時に品質管理の良否を判定でき、否の場合に警告を表示する、警告音を出すといった処理を行うことができる。また、バーコードが表す文字列中に判定値を含めておき、その値を用いて判定することもできる。【００２７】
バーコードが１次元の場合、表現可能な文字列の長さに制約がある。また、読み込み処理は図１（ｂ）の水平方向の直線上で行われることがある。そこで、環境変化部分（２４，２５）は読み取りで使われると想定される直線とクロスするように、横方向へ並べるのが好ましい。また縦方向のサイズはバーコードのバーと同程度の長さとするのが好ましい。また位置の座標値を表すときは、横方向の座標のみを表すだけでも良い。【００２８】
環境変化部分として、たとえば温度変化させる場合は、例えばCoCl2等の金属錯塩からなる無機系サーモクロミック材料や、スピロピラン系化合物等の縮合芳香環置換体からなる有機系サーモクロミック材料などが従来から使われている。また色変化には可逆式と不可逆式がある。可逆式は温度が上下するとそれに応じて何回でも色が変化するもの、不可逆式はある温度で色が変化すると元に戻らないものである。不可逆式は、たとえば浸透材中を温度により粘性が変化するインクが浸透するようにして、設定温度以上の温度に一定の時間曝されたときに、浸透材中をインクが浸透することで色変化させることができる。本発明はこれらの材料や浸透材の種類や構成を限定するものではなく、温度変化で変色するものであれば何でも良い。
【実施例２】
【００２９】
図３は，実施例１で説明したバーコードおよび環境変化部分をデータとして読み込むデータ読込装置（１００）の一例を表す構成図である．
画像入力装置（１１０）は、画像入力を行ういわゆるカメラであり、バーコード部分および環境変化部分の画像が撮影されると、記憶装置（１３０）中の画像データ記憶部（１３１）へ記録される。【００３０】
入力装置（１１５）は、操作者の指示を受け付ける部分であり、ボタン、タッチパネルなどで構成されている。【００３１】
出力装置（１２０）は、操作者への指示情報、読取画像、読取結果などを出力する装置であり、ディスプレイや通信装置で構成されている。この構成は標準的なものであり、画像入力装置、入力装置、出力装置のいずれかまたはすべてがデータ読込装置（１００）の外部に接続される構成でも良い。【００３２】
記憶装置（１３０）は，各種のデータを記憶する部分であり、以下の記憶部から構成されている．
画像データ記憶部（１３１）は，画像入力装置（１１０）から入力されたバーコード、環境変化部分の画像イメージを記憶する部分である．
バーコード位置データ記憶部（１３２）は，画像データ記憶部（１３１）に記録された画像イメージから、後述するバーコード位置認識部（１４２）によって認識されたバーコードの基準位置を表すデータを記憶する部分である。【００３３】
バーコードデータ記憶部（１３３）は，画像データ記憶部（１３１）に記録された画像イメージから、後述するバーコード認識部（１４３）によって認識されたバーコードで表された文字列のデータを記憶する部分である．
環境変化部分位置データ記憶部（１３４）は，後述する環境変化部分位置決定部（１４４）によって決定される、環境変化部分の位置を表すデータを記憶する部分である。このデータは、環境変化部分がないなら０個、環境変化部分が１つなら１個、複数なら複数のデータとなる。【００３４】
環境変化部分色データ記憶部（１３５）は，後述する環境変化部分色抽出部（１４５）によって抽出される、色データを記憶する部分である。環境変化部分位置データ記憶部（１３４）に記録されているデータの数だけ、色データが記録される。【００３５】
読み取りデータ記憶部は（１３６）は、後述するデータ記録部（１４６）によって作成、記録されるデータを記憶する部分である。このデータは、バーコードデータ記憶部（１３３）に記憶されているデータと環境変化部分色データ記憶部（１３５）に記憶されているデータが合成されたものである。【００３６】
演算装置（１４０）は，画像入力装置（１１０）、入力装置（１１５）から入力されるデータおよび記憶装置（１３０）に記憶されたデータを処理し、その結果を出力装置（１２０）に出力または記憶装置（１３０）に記録するものであり、以下の処理部から構成されている。【００３７】
入力制御部（１４１）は，画像入力装置（１１０）または入力装置（１１５）から入力されるデータを指令，データなどに区分し，記憶装置や演算装置の各部へ転送する処理を行なう部分である。特に主要なデータとしては、バーコードおよび環境変化部分を含む画像データを画像データ記憶部（１３１）に転送する。【００３８】
バーコード位置認識部（１４２）は，画像データ記憶部（１３１）に記録された画像イメージのデータから、バーコードの含まれる位置を認識し、認識結果をバーコード位置データ記憶部（１３２）に記録する部分である。画像データは通常縦横ともに数百ないし数千のドットで構成されており、その画像自体にはどの部分がバーコードであるかのデータは存在しない。そこで各ドットの色データを分析し、バーコードの基準位置が画像データのどの部分に相当するかを認識する。基準位置の表示形態や数はバーコードの規格によって異なるが、本発明ではそれらの規格に限定されない。認識結果は、画像データのドットの位置、すなわち左から右方向へ何番目、上から下方向へ何番目といった座標値で表すのが好ましい。【００３９】
バーコード認識部（１４３）は、バーコード位置データ記憶部（１３２）に記録された位置データを利用して、画像データ記憶部（１３１）に記録された画像イメージのデータから、バーコードで表された文字列のデータを認識し、バーコードデータ記憶部（１３３）に記録する部分である。【００４０】
環境変化部分位置決定部（１４４）は、バーコード位置データ記憶部（１３２）に記録された位置データと、バーコードデータ記憶部（１３３）に記録された文字列データを利用して、環境変化部分の位置を決定し、環境変化部分位置データ記憶部（１３４）に記録する部分である。バーコードデータ記憶部（１３３）に記録された文字列データには、商品コード、環境変化部分の数、種類、位置などの情報が含まれており、これらを利用して読み取り位置を決定する。もっとも好ましい方法は、バーコードの基準位置を基準にした座標系を利用して、環境変化部分の位置を計算する方法である。図４は画像データのイメージを表す図である。縦方向１４００、横方向１５００のマトリックス状にドットが配置されたメモリ（３０）の内部にバーコード（１２）と環境変化部分（２１）が記録されている。バーコードの３つの基準位置（１２ａ，１２ｂ，１２ｃ）それぞれは画像データのドット位置で横１００かつ縦１２０、横９００かつ縦１２０、横１００かつ縦９２０である。このとき１つの環境変化部分（２１）の座標がバーコード中の文字列で横方向１．２、縦方向０．１と表現されているとすると、環境変化部分の横方向は（９００−１００）×１．２＋１００＝１０６０、縦方向は（９２０−１２０）×０．１＋１２０＝２００と計算できる。なおここでは単純化のためバーコードの基準位置の座標と画像データの座標の方向が同一の場合で説明したが、方向が異なっている場合は回転させるなどして変換することができる。またここでは環境変化部分の中心位置だけの例で説明したが、読み取りする数、範囲などでも同様の処理が可能である。【００４１】
図３に戻って、環境変化部分色抽出部（１４５）は、環境変化部分位置データ記憶部（１３４）に記録された位置データにもとづいて、画像データ記憶部（１３１）に記録された画像イメージのデータから環境変化部分の色データを抽出し、そのデータを環境変化部分色データ記憶部（１３５）へ記録する部分である。上記で説明したように、位置データが画像データのドットの位置として表現されているならば、該当する位置のドットのデータを読み取るだけで処理できる。すなわち、横方向１０６０、縦方向２００のドットの色データを読み取るという処理である。ノイズデータを除去するため、環境変化部分のサイズをドットの間隔よりも大きくしておき、周囲数点のデータを読み取って平均化などの処理を行うのも好ましい。なお色データは白黒など２値で処理することも可能であるが、中間色を有する多諧調やカラーとしても良い。【００４２】
データ記録部（１４６）は、バーコードデータ記憶部（１３３）に記録されている文字列データと、環境変化部分色データ記憶部（１３５）へ記録されている色データを組み合わせて、読み取りデータ記憶部（１３６）に記録する部分である。一般に商品の環境変化状況の把握では、いつ、どこで、何が起こったか、という情報が揃うことが望まれる。そこで、上記の文字列データと色データのほかに、読み取り処理を行った日時、場所、読み取り装置の番号などを含めて記録するのが好ましい。なお、場所や読み取り装置の番号は逐次変化するわけではないので、これらは後述するデータ出力処理の際に付与しても良い。また環境変化部分の位置を表す部分など、環境変化状況の把握で必要ない部分は記録に含める必要はない。場所はあらかじめ登録した住所や郵便番号でも良いが、ＧＳＰセンサ付きの読み取り装置を用いて、測定した経度緯度のデータを記録するのが好ましい。【００４３】
出力制御部（１４７）は、読み取りデータ記憶部（１３６）に記録されたデータを、出力装置（１２０）へ出力する部分である。出力先が画面などのときは、読み取り操作が行われる都度結果が出力されるのが好ましい。またこのときは別途備えた判定基準データを利用して、環境変化部分の色から環境条件の良否を判定し、その結果を出力するのが好ましい。出力先が通信先などのときは、出力処理は読み取り操作が行われる都度でも良いし、何回かのデータをまとめる、あらかじめ定めた時間ごとにまとめるなどして処理しても良い。【００４４】
図５は、処理装置（１００）が行う処理のフローを示す図である。【００４５】
まず入力制御部（１４１）からの指令にもとづいて、画像入力装置（１１０）から、バーコードおよび環境変化部分を含む画像データが入力され、そのデータは画像データ記憶部（１３１）に記録される（１２０１）。【００４６】
つぎに、画像データ記憶部（１３１）に記録された画像イメージのデータがバーコード位置認識部（１４２）に転送され、バーコードの基準位置が認識され、その結果はバーコード位置データ記憶部（１３２）に記録される（１２０２）。【００４７】
また、画像データ記憶部（１３１）に記録された画像イメージのデータと、バーコード位置データ記憶部（１３２）に記録された位置データがバーコード認識部（１４３）に転送され、位置データにもとづいてバーコードの表す文字列データが認識され、その結果がバーコードデータ記憶部（１３３）に記録される（１２０３）。【００４８】
次に、バーコードデータ記憶部（１３３）に記録された文字列データから環境変化部分の有無を判定し、有の場合のみ以下の１２０５，１２０６の処理を行う（１２０４）。【００４９】
環境変化部分が存在する場合、まずバーコード位置データ記憶部（１３２）に記録された位置データと、バーコードデータ記憶部（１３３）に記録された文字列データが環境変化部分位置決定部（１４４）へ転送され、環境変化部分の位置が決定され、環境変化部分位置データ記憶部（１３４）に記録される（１２０５）。位置の決定方法は上述したとおりである。【００５０】
次に、環境変化部分位置データ記憶部（１３４）に記録された位置データと、画像データ記憶部（１３１）に記録された画像イメージのデータとが環境変化部分色抽出部（１４５）に転送され、画像イメージの中の、位置データで表された位置のデータが抽出され、そのデータが環境変化部分色データ記憶部（１３５）へ記録される（１２０６）。【００５１】
次は、環境変化部分の有無にかかわらず行われる処理である。バーコードデータ記憶部（１３３）に記録されている文字列データと、環境変化部分色データ記憶部（１３５）へ記録されている色データとがデータ記録部（１４６）へ転送され、それらが組み合わされて合成され、その結果が読み取りデータ記憶部（１３６）に記録される（１２０７）。ここでの合成処理において、環境変化部分が存在しないときは、あらかじめ定められた形式に準拠して、「無」であることを表すデータを組み合わせる、または単に環境変化部分色のデータ部分を空にするなどとして処理される。【００５２】
最後に、読み取りデータ記憶部（１３６）に記録されたデータが出力制御部（１４７）へ転送され、出力装置（１２０）へ出力される（１２０８）。【００５３】
本実施例の装置は、カメラ、画面、通信装置を有する汎用的なスマートフォンなどで、上記で説明した方法を実現するプログラムを実行させるのが好ましい。ただし本発明はこの形態に限定されるものではない。【００５４】
以上説明した各実施例は、環境変化部分を有さない、または単一または複数の環境変化部分を有する多種類の物品に対して、１種類の読み取り装置または１種類の読み取り方法によって、必要十分な個所の色変化を読み取り、必要なデータを取得する手段を提供するものである。またひとつの商品に対して、複数の管理項目を同時に管理可能にする手段を提供するものである。これにより、多種類商品を、多種類管理項目で品質管理可能にする手段を提供するものである。【００５５】
具体的には、バーコード（１２，１３）と環境変化部分（２１‐２５）を読み取る手段である画像入力装置（１１０）と、読みとったバーコード（１２，１３）から環境変化部分に関するデータを抽出する手段である環境変化部分位置決定部（１４４）と、環境変化部分に関するデータに基づいて環境変化データを認識する手段である環境変化部分色抽出部（１４５）とを有している。また、物品側は、環境変化部分（２１‐２５）と、その環境変化部分と関係するデータを有するバーコード（１２，１３）とを有している。【００５６】
上記実施例では、環境変化部分に関係するデータとして位置情報を利用したものを紹介したが、これに限られず、バーコード（１２，１３）は、環境変化部分の有無、数、種類、位置のいずれかの情報を含んでいればよい。【００５７】
上記構成を有することにより、以下の効果を得ることができる。【００５８】
(1)環境変化部分の有無、数、種類、位置などが異なる物品の環境変化状況を、１種類の読み取り装置または読み取り方法で読み取ることができる。【００５９】
(2)読み取ったデータを記録し、検索可能な形でデータベース化する商品の品質管理方法によれば、物品の輸送時や保管時の環境変化の状況を把握することができる。【００６０】
(3)上記の結果を利用することによって、適切でない管理を行っていた個所がわかり、管理方法の改善が容易になる。
【符号の説明】
【００６１】
１０，１１  商品
１２，１３  バーコード
２１，２２，２３，２４，２５  環境変化部
１００  処理装置
１１０  画像入力装置
１１５  入力装置
１２０  出力装置
１３０  記憶装置
１３１  画像データ記憶部
１３２  バーコード位置データ記憶部
１３３  バーコードデータ記憶部
１３４  環境変化部分位置データ記憶部
１３５  環境変化部分色データ記憶部
１３６  読み取りデータ記憶部
１４０  演算装置
１４１  入力制御部
１４２  バーコード位置認識部
１４３  バーコード部
１４４  環境変化部分位置決定部
１４５  環境変化部分色抽出部
１４６  データ記録部
１４７  出力制御部
【図１】
2016208051.tif 000003
【図２】
2016208051.tif 000004
【図３】
2016208051.tif 000005
【図４】
2016208051.tif 000006
【図５】
2016208051.tif 000007
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
環境変化部分と、前記環境変化部分と関係するデータを有するバーコードと、を有し、
前記バーコードは、前記環境変化部分の位置の情報を含むことを特徴とする表示物。
【請求項２】
前記バーコードは、さらに前記環境変化部分の有無、数、種類のいずれかの情報を含む請求項１の表示物。
【請求項３】
請求項１又は２に記載の表示物であって、
前記環境変化部分は、色変化により環境変化の有無を認識可能であることを特徴とする表示物。
【請求項４】
請求項１〜３のいずれか一項に記載の表示物であって、
前記環境変化部分は、温度により変化することを特徴とする表示物。
【請求項５】
請求項１〜４のいずれか一項に記載の表示物のバーコードと環境変化部分を読み取る手段と、
読みとったバーコードから環境変化部分に関するデータを抽出する手段と、
前記環境変化部分に関するデータに基づいて環境変化データを認識する手段と
を有するデータ処理装置。
【請求項６】
請求項５に記載のデータ処理装置であって、
前記データを抽出する手段は、読み取ったバーコードから環境変化部分の位置に関するデータを抽出することを特徴とするデータ処理装置。
【請求項７】
請求項１〜４のいずれか一項に記載の表示物のバーコードと環境変化部分を読み取り、
読みとったバーコードから環境変化部分に関するデータを抽出し、
前記環境変化部分に関するデータに基づいて環境変化データを認識する、データ処理方法。
【請求項８】
請求項７に記載のデータ処理方法で得られたデータを記録し、検索可能な形でデータベース化する商品の品質管理方法。
【国際調査報告】
2016208051.tif 000008
2016208051.tif 000009